(57)【要約】【課題】  簡単な構成で、織機逆転時、キャッチコードの解撚を生じずに、織機逆転時もキャッチコードを加撚すると共に、製織運動時、仮撚スピンドルが確実に回転して加撚するキャッチコードの仮撚装置を提供する。【解決手段】  無杼織機のキャッチコード仮撚装置は、製織運動に伴って正逆方向に回転する揺動軸と、ラチェットホィールと、前記揺動軸に揺動中心から半径方向に離間して設けられ前記ラチェットホィールと係合するラチェット爪と、ラチェットホィールと一体に設けられて回転される、またはラチェットホィールから回転伝達部材を介して回転される仮撚スピンドルとを含む。【選択図】図１
2006225778.tif 000002
【特許請求の範囲】
【請求項１】
無杼織機のキャッチコード仮撚装置において、製織運動に伴って正逆方向に回転する揺動軸と、ラチェットホィールと、前記揺動軸に揺動中心から半径方向に離間して設けられ前記ラチェットホィールと係合するラチェット爪と、ラチェットホィールと一体に設けられて回転される、またはラチェットホィールから回転伝達部材を介して回転される仮撚スピンドルとを含むことを特徴とする無杼織機のキャッチコード仮撚装置。
【請求項２】
前記揺動軸によって緯糸切断装置の可動刃が駆動されることを特徴とする請求項１記載の無杼織機のキャッチコード仮撚装置。
【請求項３】
前記回転伝達部材は一対の歯車、または一対のプーリとベルトであり、回転伝達比を変更することにより、仮撚スピンドルの回転速度が変更されることを特徴とする請求項１または請求項２記載の無杼織機のキャッチコード仮撚装置。
【発明の詳細な説明】
【技術分野】
【０００１】
本発明は、無杼織機に備えられ、キャッチコードの加撚によって織布から切断された緯糸端を保持するキャッチコード仮撚装置に関する。
【背景技術】
【０００２】
無杼織機において、緯入れされた緯糸の先端側は、織機の反給糸側に配置された複数のキャッチコードの開口運動によって把持された状態で、緯糸カッターによって織布から切断されて緯糸片となる。該緯糸片は、キャッチコードと共に収容容器に収容される。緯糸片がキャッチコードに確実に把持されて脱落しないように、キャッチコード仮撚装置が設けられ、キャッチコードの加撚と加撚に伴う撚縮みによって、緯糸片はキャッチコードに強く把持され、確実に保持される。また、緯糸片のほか、織前や織前近傍の未切断緯糸もキャッチコードによって把持されており、緯糸カッターによる切断を可能とするほか、緯糸緩みが抑えられ、締まりのある良好な織布が製織される。
【０００３】
しかし、織機は、糸切れ等による停台時、修復作業のために逆転を必要としており、織機の逆転に伴って仮撚装置の仮撚スピンドルが逆回転するので、キャッチコードは解撚されて、緯糸片はキャッチコードから脱落し周囲に飛散する。飛散した緯糸片は織布に織り込まれてその品質を低下させたり、緯入れセンサ等に付着し検出動作を妨げる。そのため、特許文献１の公報では、織機モータ回転軸と仮撚スピンドルとの連結において、織機の逆転時に連結を切断する装置、織機の逆転時に連結をスリップさせる装置、およびワンウェイクラッチを介して連結する装置が提案されている。
【特許文献１】特開２００２−２３５２６２号
【発明の開示】
【発明が解決しようとする課題】
【０００４】
織機の逆転時、織前および織前の近傍に位置する織布の緯糸は、緯糸補修作業のために経糸口が開くと緩み、そのため停止段が生じる。しかし、それらの仮撚装置は、織機の逆転時に単に仮撚スピンドルを停止させるだけであり、キャッチコードを積極的に加撚していないので、経糸口が開くことによる緯糸緩みを何ら抑えることができず、停止段の発生を抑えることができない。またそれらの仮撚装置は、織機モータの回転を、いずれも摩擦を介して伝達して仮撚スピンドルを駆動しているため、風綿、塵埃、水、潤滑油等の侵入によって、摩擦箇所において耐久性が損なわれたりスリップが生じる。そのため、仮撚スピンドルを適切な回転に維持することは困難であり、キャッチコードの加撚不足のため緯糸片の脱落を生じる。また特許文献１の公報では、仮撚スピンドルを、織機モータとは別の専用モータで駆動する装置が提案されているが、専用モータのほか、専用モータの制御装置を必要とするので、装置は、構成が複雑となると共に高価とならざるを得ない。
【０００５】
以上の従来技術の問題点を鑑み、本発明の目的は、簡単な構成で、織機逆転時、キャッチコードの解撚を生じずに、織機逆転時もキャッチコードを加撚すると共に、製織運動時、仮撚スピンドルが確実に回転して加撚するキャッチコードの仮撚装置を提供することにある。
【課題を解決するための手段】
【０００６】
本発明は、上記目的を達成するためになされたものであって、無杼織機のキャッチコード仮撚装置において、製織運動に伴って正逆方向に回転する揺動軸と、ラチェットホィールと、前記揺動軸に揺動中心から半径方向に離間して設けられ前記ラチェットホィールと係合するラチェット爪と、ラチェットホィールと一体に設けられ回転される、またはラチェットホィールから回転伝達部材を介して回転される仮撚スピンドルとを含む無杼織機のキャッチコード仮撚装置である（請求項１）。
【０００７】
また、前記揺動軸によって緯糸切断装置の可動刃が駆動される（請求項２）。
【０００８】
更に、前記回転伝達部材は一対の歯車、または一対のプーリとベルトであり、回転伝達比を変更することにより、仮撚スピンドルの回転速度が変更される（請求項３）。
【発明の効果】
【０００９】
ラチェットホィールの歯は、ラチェット爪の先端と対向しており、前進するラチェット爪の先端が引っ掛かって係合する係合面と、係合面よりも一般に緩斜面に形成され、後退するラチェット爪の先端が滑るスリップ面とを有している。請求項１によれば、揺動軸の正転によって、ラチェット爪は、スタート位置からラチェットホィールの歯の係合面に向かって前進して、係合面と係合してラチェットホィールを確実に回転させる。また揺動軸の逆転によって、ラチェット爪は、係合面から後退しスタート位置に復帰することができるが、その際、先端がスリップ面を滑ることにより、ラチェットホィールを逆転させるのを抑えることができる。これにより、ラチェット爪を介し揺動軸によって確実にラチェットホィールは一方向に回転され、ラチェットホィールと一体に設けられる仮撚スピンドル、またはラチェットホィールから回転伝達部材を介して回転される仮撚スピンドルは、製織運動に伴って正逆方向に回転する揺動軸によって、確実に一方向に回転され、キャッチコードは確実に加撚される。更に、緯糸切れ等の織機停台時に、経糸開口を開くために織機を逆転させても、揺動軸は正転と逆転によりラチェットホィールを一方向に回転させ、仮撚スピンドルを製織運動時と同方向に回転させるので、キャッチコードは更に加撚される。キャッチコードの織機逆転時の更なる加撚によって、織前や織前近傍の未切断緯糸は、より強くキャッチコードに把持されるので、経糸開口が開くことによる緯糸緩みが抑えられ、停止段の発生が抑えられる。
【００１０】
織機の既存の揺動軸として、スレ−を揺動するロッキングシャフトや緯糸切断装置の可動刃を駆動する揺動軸がある。揺動軸としてロッキングシャフトや緯糸切断装置の揺動軸を用いれば、部品の兼用化が計られ、構成の簡素化、省スペース化が可能となる。
【００１１】
特に、揺動軸によって緯糸切断装置の可動刃が駆動される構成をとり、緯糸端を織布から切断すれば、より太い緯糸等に対応するために切断動作の運動量を多くした場合、揺動軸の揺動回数や揺動角の増大に伴ってキャッチコードは、加撚速度が増加する。そのため、キャッチコードは、緩みやすい太い未切断緯糸や、脱落し易い太い緯糸片をより強く把持することができる。このように、緯糸切断装置とキャッチコード仮撚装置のいずれか一方の装置において、緯糸種に添うように製織条件を変更すれば、他方の装置においても、その緯糸種に添うように製織条件を自動的に変更することができる。
【００１２】
回転伝達部材を一対の歯車、または一対のプーリとベルトとし、これら一対の部材の少なくとも一方の交換により、回転伝達比を変更すれば、仮撚スピンドルの回転速度を変更することができ、キャッチコードを製織条件に応じた加撚状態とすることができる。
【発明を実施するための最良の形態】
【００１３】
以下、本発明の実施の形態を図面に基づいて説明する。図１から図３に示すのは、無杼織機のキャッチコード仮撚装置６０における本発明の第１の実施例である。図１は平面図で装置全体を示し、図２および図３は、図１においてＡ−Ａから矢視の側面図であり、図２はラチェット爪２６の最後退時、図３はラチェット爪２６の最前進時をそれぞれ示す。
【００１４】
キャッチコード仮撚装置６０は、織機の反給糸側に配設され、織前１９と平行に織機のフレーム１に支持され、図示しない織機モータによって駆動される揺動軸２と、ボルト３０によって揺動軸２に固定されるレバー２８と、ボルト２９によってレバー２８に固定されるピン２７を介して、揺動中心から半径方向に離間した位置で、レバー２８に回転可能に支持されるラチェット爪２６と、フレーム１に固定されるスピンドルホルダ２０に、ストップリング２２を介して軸線方向の変位が規制されと共に、回転可能かつ軸線が揺動軸２と平行に支持され、コード挿通孔２１ａが軸線方向に延在する仮撚スピンドル２１と、平板状に形成されてコード挿通孔２１ａに挿通されると共に仮撚スピンドル２１と接合され、２つのコード把持孔２３ａが平面に設けられて貫通する加撚プレート２３と、仮撚スピンドル２１の外周面にボス２４ｃに設けられるボルト２５を介して固定されおり、仮撚スピンドル２１と同軸なラチェットホィール２４と、２つのスプリングピン３２に両端が支持され、ラチェット爪２６を付勢して先端２６ａをラチェットホィール２４に接触させる引張スプリング３３と、加撚プレート２３の先端側に配設され、織布の織前１９から経糸１０の方向に伸びるキャッチコード１３を屈曲させて加撚プレート２３の先端に導くコードガイド１５と、ガイドホルダ１７を介してフレーム１に支持され、仮撚スピンドル２１のコード挿通孔２１ａを通過したキャッチコード１３が下方に屈曲するコードガイド１６と、コードガイド１６の下方に配設されキャッチコード１３を歯の間に挟んで回転して牽引し、キャッチコード１３を積極的に送り出す図示しない一対の牽引ギヤとを備える。
【００１５】
緯糸切断装置１００が織機の反給糸側に配設されており、揺動軸２にボルト４を介して固定されるカッターレバー３とピン７を介して連結される可動刃５が、固定刃６に設けられたピン８に軸支されている。揺動軸２の揺動運動に伴ってカッターレバー３が揺動し、可動刃５が固定刃６に対して揺動することにより、キャッチコード１１に織り込まれている緯糸端１２が、織布から切断されて緯糸片１４に形成される。緯糸片１４は、複数のキャッチコード１３が加撚されて１つに形成されたキャッチコード１３によって把持され、周囲に飛散するのを回避される。
【００１６】
織前１９から経糸１０方向に伸びるキャッチコード１３は、コードガイド１５によってほぼ直角に屈曲されて、加撚プレート２３に達し、２つのコード把持孔２３ａを貫通して、加撚プレート２３の一方の面側から他方の面側に、他方の面側から一方の面側に貫通して屈曲することにより、加撚プレート２３に強く把持される。これにより加撚プレート２３の回転に伴って、キャッチコード１３は、コード把持孔２３ａよりも上流側では右撚り、左撚りの一方の撚りが、コード把持孔２３ａよりも下流側では他方の撚りが、それぞれ加撚される。キャッチコード１３は、加撚プレート２３を擦りながら通過後、加撚プレート２３の一方の面側からコード挿通孔２１ａに入って仮撚スピンドル２１を通過する。その後、ガイドホルダ１７に支持されるコードガイド１６に導かれて下方に屈曲し、図示しない一対の牽引ギヤを通過し、その後、自重で下降して図示しない収容容器に堆積する。なお、キャッチコード１３の一方の撚りは、コード把持孔２３ａを通過後、他方の撚りによって解撚される。
【００１７】
揺動軸２の揺動運動に伴って、ラチェット爪２６は、図２に示す最後退位置と図３に示す最前進位置との間を揺動する。ラチェット爪２６は図２に示す状態から右方向に移動し、先端２６ａが、ラチェットホィール２４の歯の係合面２４ａに当接して係合面２４ａと係合し、ラチェットホィール２４を図３に示す位置まで時計方向に回転させる。 その後、ラチェット爪２６は図３に示す状態から左方向に移動し、先端２６ａが、ラチェットホィール２４の歯のスリップ面２４ｂを擦りながら移動し、図２に示す最後退位置に復帰する。最後退位置に復帰する際にラチェット爪２６はスリップ面２４ｂを擦るが、スリップ面２４ｂが緩傾斜面に形成されているので、スリップ面２４ｂをスリップし、ラチェットホィール２４の反時計方向回転、即ちラチェットホィール２４の逆転が抑えられる。これにより揺動軸２の揺動運動に伴って、ラチェットホィール２４は確実に一方向に回転される。本実施例では、揺動軸２の１回の揺動運動により、ラチェットホィール２４は２歯分、８０°回転し、仮撚スピンドル２１は８０°回転する。 
【００１８】
揺動軸２は織機モータによって駆動されるので、緯糸切れ等の織機停台時に、経糸口を開くために織機を逆転させても、揺動軸２は揺動する。前述のように、揺動軸２は揺動運動によりラチェットホィール２４を一方向に回転させ、仮撚スピンドル２１を製織運動時と同方向に回転させるので、キャッチコード１３は更に加撚される。キャッチコード１３の織機逆転時の更なる加撚によって、織前１９や織前１９近傍の未切断緯糸、即ち緯糸端１２は、より強くキャッチコード１３に把持されるので、経糸口が開くことによる織布の緯糸緩みが抑えられ、停止段の発生が抑えられる。
【００１９】
ラチェット爪２６は、引張スプリング３３によって付勢されて先端２６ａがラチェットホィール２４に接触しているが、引張スプリング３３を設けず、先端部分の重量を重くすることにより、ラチェット爪２６は自重のみによって付勢され、先端２６ａがラチェットホィール２４に接触するようにしてもよい。また、ラチェット爪２６は、ラチェットホィール２４の歯のスリップ面２４ｂをスリップして最後退位置に復帰するが、その際にラチェットホィール２４を逆回転させる場合があり、揺動軸２の１回の揺動運動によるラチェットホィール２４の回転量が少なくなったり、回転量が一定でなくなる。そのためラチェットホィール２４のブレーキ装置を設けて、ラチェットホィール２４の逆回転を抑えてもよい。ブレーキ装置としては、例えば、ナイロン等のブレーキシュー部材をスプリングを介してラチェットホィール２４の側面に当接させる。
【００２０】
図４は、本発明の第２の実施例であるキャッチコード仮撚装置７０を示す平面図である。フレーム１に固定されるスピンドルホルダ４０に、仮撚スピンドル２１とシャフト４７とが、それぞれストップリング２２を介して軸線方向の変位が規制されと共に、揺動軸２と平行に回転可能に支持されている。仮撚スピンドル２１の外周面には、ボルト２５を介してギヤ４３が仮撚スピンドル２１と同軸に固定され、シャフト４７には、キー４４、ワッシャ４５およびボルト４６を介して、ギヤ４３とラチェットホィール４１が、シャフト４７と同軸に固定されている。ギヤ４２とギヤ４３は、互いに噛み合う一対の歯車をなして回転伝達部材を形成しており、本実施例では、ギヤ４２の歯数はギヤ４３の歯数の１．４倍であり、回転伝達比１．４となって仮撚スピンドル２１の回転量は、ラチェットホィール４１の回転量の１．４倍に増大される。第１の実施例のキャッチコード仮撚装置６０よりも、その分、キャッチコード１の加撚数が多くなり、緯糸端１２および緯糸片１４を強く把持し、太い緯糸や滑りやすい緯糸等に対応できる。
【００２１】
ボルト２５緩めることによりギヤ４３を、ボルト４６を取り外すことによりギヤ４２をそれぞれ交換することができ、回転伝達比を変更することができる。これによりキャッチコード１の加撚程度を、製織条件に対応して適切に設定することができる。即ち、太い緯糸や滑りやすい緯糸に対しては、回転伝達比を大きくして加撚数を多くすることにより、より強くキャッチコード１に把持させることができる。また撚縮が大きかったり弱くそのため余り加撚できないキャッチコードに対しては、回転伝達比を小さくして加撚数を少なくすることにより、キャッチコード１が、撚縮によって弱くなって、加撚プレート２３を擦りながら通過する際に切断される等の事故を回避することができる。
【００２２】
回転伝達部材として、直接噛み合う一対の歯車（ギヤ４２、４３）を用いたが、アイドルギヤを介して一対の歯車を噛み合わせてもよい。アイドルギヤの取付位置を調整することにより、両方の歯車、またはいずれか一方の歯車を別の歯車に交換することができる。その際、一対の歯車の軸間距離を変更する必要がない。
【００２３】
本実施例では、キャッチコード１３の仮撚スピンドルが、軸線にコード挿通孔２１ａが延在して中空の仮撚スピンドル２１と、平板状を有して溶接等によって仮撚スピンドル２１に接合される加撚プレート２３とによって形成され、加撚プレート２３は、複数のコード把持孔２３ａを有して仮撚スピンドル２１のコード挿通孔２１ａに挿通されているが、他の形態をとってもよい。例えば、パイプ状の仮撚スピンドルの上流側部分を扁平に形成して、上流側部分に複数のコード把持孔を設け、キャッチコード１３はコード把持孔通過後、コード挿通孔に導かれる。また、複数のコード屈曲部材と、該コード屈曲部材の支持部材を設け、該支持部材をボルト等によって中空の仮撚スピンドルと一体化してもよく、その場合、複数のコード屈曲部材の少なくとも１つと支持部材は、一体物であってもよい。更に、本実施例では、仮撚スピンドル２１とラチェットホィール２４は、別部材で形成されボルト２５を介して一体に設けられているが、ボルトや溶接等による接合によらずに、単一部材から形成されてもよい。
【００２４】
図５は、本発明の第３の実施例であるキャッチコード仮撚装置８０を示す平面図である。フレーム１に固定されるスピンドルホルダ５０に、仮撚スピンドル２１が、ストップリング２２を介して軸線方向の変位が規制されと共に、経糸１０と平行に回転可能に支持されている。仮撚スピンドル２１の外周面には、ボルト２５を介してベベルギヤ５３が、仮撚スピンドル２１と同軸に固定されている。 フレーム１に固定されるシャフトホルダ５１に、シャフト５５が、ストップリング２２を介して軸線方向の変位が規制されと共に、揺動軸２と平行に回転可能に支持されている。シャフト５５には、キー４４、ワッシャ４５およびボルト４６を介して、ベベルギヤ５２とラチェットホィール４１が、シャフト５５と同軸に固定されている。ベベルギヤ５２とベベルギヤ５３は、互いに噛み合う一対の歯車をなして回転伝達部材を形成しており、本実施例では、ベベルギヤ５２の歯数はベベルギヤ５３の歯数の１．７倍であり、回転伝達比１．７となって、仮撚スピンドル２１の回転量は、ラチェットホィール４１の回転量の１．７倍に増大される。
【００２５】
織前１９から経糸１０方向に伸びるキャッチコード１３は、コードガイド１５で僅かに屈曲されて、加撚プレート２３に達して加撚され、コード挿通孔２１ａに入って仮撚スピンドル２１を通過し、その後、ガイドホルダ５４に支持されるコードガイド１６を経て屈曲し、図示しない一対の牽引ギヤに達した後、自重で下降し、図示しない収容容器に堆積する。
【００２６】
揺動軸２とラチェットホィール２４の軸線は、互いに平行、または略平行に配設される。本実施例では、回転伝達部材として、軸線が互いに交差する一対の傘歯車を用いているので、仮撚スピンドル２１を、ラチェットホィール２４の軸線と交差させて揺動軸２と交差させることができる。本実施例では、揺動軸２は織前１９と平行、または略平行に配設されているので、仮撚スピンドル２１の軸線方向を経糸１０方向に近づけることができる。仮撚スピンドル２１の軸線方向を経糸１０方向と一致するようにすれば、織前１９からのキャッチコード１３を、コードガイド１５、即ちガイド部材を介して大きく屈曲させて仮撚スピンドル２１に導かなくてもよく、キャッチコード１３は、加撚状態が織前１９まで十分に波及するので、緯糸片１４および織前１９や織前１９近傍の未切断緯糸、即ち緯糸端１２を確実に把持することができる。
【００２７】
上記のいずれの実施例においても、揺動軸２は切断装置１００の可動刃５の駆動に用いられているが、揺動軸２として、ロッキングシャフト、またはロッキングシャフトによって揺動運動を行う軸を用いてもよい。また、揺動軸２として、織機モータによって駆動されるキャッチコード仮撚装置の専用の軸、即ち切断装置１００の可動刃５の揺動軸とは異なる揺動軸を設けてもよい。
【００２８】
上記の第２の実施例、第３の実施例共、回転伝達部材として一対の歯車を用いたが、一対のプーリと、プーリ間に掛けわたされるベルトとによって回転伝達部材が形成されてもよい。一対の歯車を用いる場合よりも、仮撚スピンドル２１からより離間して揺動軸２を配設できる。一対のプーリは、必ずしも軸線同士が互いに平行、または略平行でなくてもよく、その場合、ベルトをタスキ掛けすることにより、一方のプーリから他方のプーリに、回転が伝達される。
【産業上の利用可能性】
【００２９】
本発明は上記のいずれの実施例にも限定されるものではなく、本発明の趣旨を逸脱しない限りにおいて種々に変更することが可能である。
【図面の簡単な説明】
【００３０】
【図１】本発明の第１の実施例のキャッチコード仮撚装置装置６０の全体を示す平面        図である。
【図２】図１においてＡ−Ａから矢視の側面図であり、ラチェット爪２６の最後退時        を示す。
【図３】図１においてＡ−Ａから矢視の側面図であり、ラチェット爪２６の最前進時        を示す。
【図４】本発明の第２の実施例のキャッチコード仮撚装置装置７０の全体を示す平面        図である。
【図５】本発明の第３の実施例のキャッチコード仮撚装置装置８０の全体を示す平面        図である。
【符号の説明】
【００３１】
１      フレーム
２      揺動軸
３      カッターレバー
４      ボルト
５      可動刃
６      固定刃
７      ピン
８      ピン
１０    経糸
１２    緯糸端
１３    キャッチコード
１４    緯糸片
１５    コードガイド
１６    コードガイド
１７    ガイドホルダ
１９    織前
２０    スピンドルホルダ
２１    仮撚スピンドル
２１ａ  コード挿通孔
２２    ストップリング
２３    加撚プレート
２３ａ  コード把持孔
２４    ラチェットホィール
２４ａ  係合面
２４ｂ  スリップ面
２４ｃ  ボス
２５    ボルト
２６    ラチェット爪
２６ａ  先端
２７    ピン
２８    レバー
２９    ボルト
３０    ボルト
３２    スプリングピン
３３    引張スプリング
４０    スピンドルホルダ
４１    ラチェットホィール
４２    ギヤ
４３    ギヤ
４４    キー
４５    ワッシャ
４６    ボルト
４７    シャフト
５０    スピンドルホルダ
５１    シャフトホルダ
５２    ベベルギヤ
５３    ベベルギヤ
５４    ガイドホルダ
５５    シャフト
６０    キャッチコード仮撚装置
７０    キャッチコード仮撚装置
８０    キャッチコード仮撚装置
１００  緯糸切断装置
【図１】
2006225778.tif 000003
【図２】
2006225778.tif 000004
【図３】
2006225778.tif 000005
【図４】
2006225778.tif 000006
【図５】
2006225778.tif 000007